(57)【要約】【課題】ドレンパンの点検及び清掃を容易にした天井埋込形空気調和装置を提供する。【解決手段】熱交換器４と、熱交換器４で生成された凝縮水を受けとめて溜めるドレンパン１０とを備え、ドレンパン１０は、熱交換器４から滴下する凝縮水を受けとめる樋部１１と、樋部１１にて受けとめられた凝縮水が流れ込んで溜まる集積部１２とを有し、樋部１１と集積部１２とが分離可能に構成されている。【選択図】図４
2011220648.tif 000002
【特許請求の範囲】
【請求項１】
熱交換器と、
前記熱交換器で生成された凝縮水を受けとめて溜めるドレンパンとを備え、
前記ドレンパンは、前記熱交換器から滴下する凝縮水を受けとめる樋部と、前記樋部にて受けとめられた凝縮水が流れ込んで溜まる集積部とを有し、前記樋部と前記集積部とが分離可能に構成されていることを特徴とする天井埋込形空気調和装置。
【請求項２】
前記熱交換器と前記ドレンパンとを内部に収容する本体を備え、
前記本体の一部が前記本体に対して着脱自在に設けられてカバーを構成しており、前記カバーに前記集積部が着脱自在に装着されており、
前記カバーを前記本体から取り外すことにより前記集積部もまとめて前記本体内から取り外すことができるように構成されていることを特徴とする請求項１記載の天井埋込形空気調和装置。
【請求項３】
熱交換器と、
前記熱交換器で生成された凝縮水を受けとめて溜めるドレンパンと、
前記熱交換器及び前記ドレンパンを内部に収容し、天井に設置される本体とを備え、
前記ドレンパンは、前記熱交換器から滴下する凝縮水を受けとめる樋部と、前記樋部にて受けとめられた凝縮水が流れ込んで溜まる集積部とを有し、
前記本体は、略直方体の側面の一部を天井面に略平行な方向に膨出してなる膨出部を有し、その膨出部内に前記ドレンパンの前記集積部が位置するように前記本体内に前記ドレンパンが配置されており、前記膨出部の上面に着脱自在な蓋を備えたことを特徴とする天井埋込形空気調和装置。
【請求項４】
前記ドレンパンの前記樋部と前記集積部とが分離可能に構成され、また、前記本体の一部が前記本体に対して着脱自在に設けられてカバーを構成しており、前記カバーに前記集積部が着脱自在に装着されており、
前記カバーを前記本体から取り外すことにより前記集積部もまとめて前記本体内から取り外すことができるように構成されていることを特徴とする請求項３記載の天井埋込形空気調和装置。
【請求項５】
前記カバーは、前記本体の側板の一部でなる側面部と、前記本体の底板の一部でなる底面部とが一体となった概ねＬ字型を有しており、前記底面部において前記側面部と反対側の端部は、前記本体の底板への引っ掛け用の係止部を有し、また、前記カバーの前記側面部の上端部分及び前記本体の側板は、互いを着脱自在に固定する着脱手段を備えていることを特徴とする請求項２又は請求項４記載の天井埋込形空気調和装置。
【請求項６】
前記ドレンパンの前記樋部において凝縮水が流れる表面の下端部に、前記集積部の内側に向かって斜め下向きに傾斜する導水板を設けたことを特徴とする請求項１乃至請求項５の何れか１項に記載の天井埋込形空気調和装置。
【請求項７】
前記ドレンパンの前記樋部と前記集積部との間の接触面間に、互いに液密にシールするシール材を介装したことを特徴とする請求項１、２、４、５、６の何れか１項に記載の天井埋込形空気調和装置。
【請求項８】
前記ドレンパンの前記集積部内の水位を検知する水位検知器と、前記水位検知器から出力される水位信号に基づき異常を検知すると、外部に異常発報を行うとともに、天井埋込形空気調和装置の運転を停止させる制御器とを備えたことを特徴とする請求項１乃至請求項７の何れか１項に記載の天井埋込形空気調和装置。
【発明の詳細な説明】
【技術分野】
【０００１】
本発明は、天井埋込形の空気調和装置に関するものである。
【背景技術】
【０００２】
天井裏などの天井面に設置する天井埋込形空気調和装置の室内ユニットは、熱交換器から発生した凝縮水をドレンパンで受けて本体外に排水している（例えば、特許文献１参照）。
【０００３】
ドレンパンに集められた凝縮水を排水する排水口は、ドレンパンの最深部に設置されている。このためドレンパンの最深部には水が常に存在し、ドレンパン内でもっとも汚れが付着しやすい傾向にある。汚れは空気中の埃や砂、菌などが繁殖したものやカビなどが主な成分となる。
【０００４】
汚れが多く発生すると排水口が詰まる原因となる。天井埋込形室内ユニットの場合、排水口が詰まるとドレンパンの水位が上昇して水漏れに至り、深刻な事故が発生することになる。このような事故を回避するため、ドレンパンを定期的に点検・清掃する必要がある。
【０００５】
ドレンパンの点検・清掃は、本体の側面に設置された点検口から行なわれる場合があるが、薄型の天井埋込形室内ユニットでは、点検口が小さく十分なメンテナンスができない。このため、ドレンパンをユニット本体から取り外して点検・清掃することが一般的に行われている。
【先行技術文献】
【特許文献】
【０００６】
【特許文献１】実開平７−１８１２８号公報（第２図）
【発明の概要】
【発明が解決しようとする課題】
【０００７】
室内ユニット内に配置される熱交換器は室内ユニット本体の横幅に近い大きさを有しており、その熱交換器からの凝縮水を受け取るドレンパンも同様に大きなものとなる。このため、天井裏でドレンパンの取り外しを行う際には２人がかりでの作業が必要となり、また作業姿勢も悪いため、多大な労力と時間を要する。
【０００８】
また、天井埋込形であるため、ドレンパンを取り外すためのスペースが十分にない場合には天井を切り開くなどの作業が必要となる。
【０００９】
本発明はこのような点に鑑みなされたもので、ドレンパンの点検及び清掃を容易にした天井埋込形空気調和装置を提供することを目的とする。
【課題を解決するための手段】
【００１０】
本発明に係る天井埋込形空気調和装置は、熱交換器と、熱交換器で生成された凝縮水を受けとめて溜めるドレンパンとを備え、ドレンパンは、熱交換器から滴下する凝縮水を受けとめる樋部と、樋部にて受けとめられた凝縮水が流れ込んで溜まる集積部とを有し、樋部と集積部とが分離可能に構成されているものである。
【発明の効果】
【００１１】
本発明によれば、ドレンパンの樋部と集積部とを分離可能に構成したので、最も汚れる集積部だけを本体から取り出すことができ、メンテナンス（点検や清掃）を容易に実施することができる。
【図面の簡単な説明】
【００１２】
【図１】本発明の実施の形態１における天井埋込形空気調和装置の概略を示す構成図である。
【図２】図１のドレンパンの概略構成図である。
【図３】本発明の実施の形態１における天井埋込形空気調和装置の概略斜視図である。
【図４】本発明の実施の形態１における天井埋込形空気調和装置の要部概略断面図である。
【図５】図１の集積部と板金カバーとの分解概略斜視図である。
【図６】図１の樋部と集積部との着脱手段の他の例を示す斜視図である。
【図７】本発明の実施の形態２における天井埋込形空気調和装置の要部を示す概略構成図である。
【発明を実施するための形態】
【００１３】
実施の形態１．
図１は、本発明の実施の形態１に係る天井埋込形空気調和装置の概略を示す構成図である。
天井埋込形空気調和装置の天井埋込形室内ユニット１は、天井に吊り下げられる板金製の直方体状の本体２を有し、この本体２内に、送風機３と、熱交換器４と、制御器５と、熱交換器４から滴下した凝縮水を受けとめて溜めるドレンパン１０とを備えている。ドレンパン１０内には、水位を検知する水位検知器６が設置されている。また、ドレンパン１０内には、ドレンパン１０の後述の集積部１２内に溜まった凝縮水を汲み上げて本体２外に排水するためのドレンポンプ７が設置されている。水位検知器６及びドレンポンプ７は制御器５に接続されている。
【００１４】
本体２の側面には、室内の空気を本体２内に吸い込むための吸込口２ａが設けられ、本体２において吸込口２ａと対向する側面には、熱交換器４により冷却又は加熱されて温度調整された空気を室内へと吹き出すための吹出口２ｂが設けられている。また、本体２にはドレンパン１０内に溜まった凝縮水を排水するための排水口２ｃが開口されている。
【００１５】
図２は、図１のドレンパンの概略構成図で、図２（ａ）は、図１と同じ方向から見た図、図２（ｂ）は図２（ａ）のＡ−Ａ断面図である。以下、全図において、互いに同一部分には同一符号を付す。
図２に示すように、ドレンパン１０は主に樋部１１と集積部１２とを備えている。樋部は熱交換器４の表面から滴下する凝縮水を受け取って集積部１２に流すもので、１／５０（高さ／底辺）程度の傾斜がついている。集積部１２は樋部１１からの凝縮水を溜める部分で、ドレンパン１０において最も低い位置となるように設置されている。
【００１６】
集積部１２の側面には、外方に延びる筒状の排水口１３が、水漏れがないように液密に接続されており、排水口１３の端部は、通常時はゴム製の蓋（図示せず）で閉じられている。排水口１３は樹脂成形品であり、その樹脂には透明な樹脂部材が使用され、工具を使用せずに、排水口１３内部の状態を目視で確認できるようになっている。
【００１７】
ドレンパン１０の点検及び清掃時には、排水口１３に取り付けられた蓋を取り外して排水口１３の端部に排水管を接続し、重力による自然排水により、排水管を通して集積部１２内の凝縮水を機外に排出するようになっている。集積部１２に溜まった凝縮水の排水は、このような自然排水の他、ドレンパン１０の集積部１２内に吸込口２ａを設置したドレンポンプ７により、集積部１２内の凝縮水を汲み上げて室内ユニット１の外に排出する場合もある。ドレンパン１０の集積部１２内に設置されたドレンポンプ７により、排水の水圧が高められ、より高い位置から排水することが可能となり、機外の横引き配管を長くすることができる。
【００１８】
ドレンパン１０の樋部１１と集積部１２とは、それぞれ発泡スチロールで成形されており、その表面には漏水を防ぐためにABSなどの成形樹脂シート（図示せず）が貼られている。また、樋部１１と集積部１２とは後述の図４に示すように分離可能に構成されており、集積部１２と樋部１１との間の接触面間には、互いに液密に密着させるためのシール材１４が介装されている。シール材１４は、集積部１２側の接触面に設けても良いし、逆に樋部１１側の接触面に設けても良い。樋部１１と集積部１２とは、シール材１４が全面つぶれるように密着した状態で本体２内に設置されている。なお、樋部１１と集積部１２との間のシールは発泡スチロール素材同士のシールであるため、接触面のたわみ防止のためにシール材１４にはゴム素材の気泡体などの柔らかい素材を使用する。また、シール材１４を気泡体とした場合には、シール性を高めるために独立気泡のものを使用する。また、樋部１１において凝縮水が流れる表面の下端部には、集積部１２の内側に向かって斜め下向きに傾斜する導水板１５が設けられており、凝縮水が樋部１１から集積部１２に流れる際に、シール材１４に触れることなく集積部１２に導水されるようにしている。
【００１９】
図３は、本発明の実施の形態１における天井埋込形空気調和装置の概略斜視図である。図４は、本発明の実施の形態１における天井埋込形空気調和装置の要部概略断面図である。図５は、図１の集積部と板金カバーとの分解概略斜視図である。
本体２には、側板２１の一部でなる側面部３２と底板２２の一部でなる底面部３１とが一体となった概ねL型の板金カバー３０が着脱自在に装着されている。板金カバー３０の底面部３１において側面部３２と反対側の端部には、本体２の底板２２への引っ掛け用の係止部であるオフセット曲げ３４が施されている。また、板金カバー３０の側面部３２には排水口１３よりも若干大きい穴３３が開口され、側面部３２の上端部分にはネジ穴３５が開口されている。
【００２０】
このように構成された板金カバー３０に、ドレンパン１０の集積部１２に装着された排水口１３が板金カバー３０の穴３３に挿通されて板金カバー３０に集積部１２が装着されている。そして、板金カバー３０のオフセット曲げ３４を本体２の底板２２の内側に差し込み、ネジ３６を板金カバー３０の側面部３２のネジ穴３５に挿通して本体２の側板２１に螺合することにより、板金カバー３０が本体２に着脱自在に固定されている。
【００２１】
このようにして板金カバー３０を本体２に固定することにより、集積部１２の上端面がシール材１４を押しつぶしながら樋部１１の下端面に密着し、樋部１１と集積部１２とが連結してドレンパン１０が構成される。そして、点検時や清掃時などに集積部１２を取り外す際には、ネジ３６を取り外し、板金カバー３０のオフセット曲げ３４を本体２の底板２２の内側から抜き出すことにより、集積部１２を取り外すことができる。このように、本体２から板金カバー３０を取り外すことにより、集積部１２もまとめて取り外すことができる。なお、板金カバー３０と本体２との着脱手段は、ネジ３６に限られたものではなく、図６に示すように側板２１及び板金カバー３０の側面部３２に設置したワンタッチ金具１６としてもよく、この場合、工具なしで着脱可能となる。
【００２２】
以上のように構成された天井埋込形空気調和装置について、以下、その動作を説明する。
天井埋込形室内ユニット１の冷房運転時、熱交換器４は蒸発器として作用し、吸込空気と熱交換器４内を流れる冷媒とが熱交換器４にて熱交換を行う。このとき、熱交換器４内の冷媒温度が空気の露点温度以下となると、熱交換器４の表面に凝縮水が析出される。その凝縮水は重力により熱交換器４に沿って下方に流れ、ドレンパン１０の樋部１１に滴下し、集積部１２に溜まる。集積部１２内に溜まった凝縮水は、ドレンポンプ７により適宜排出される。
【００２３】
冷房運転中は常時、凝縮水がドレンパン１０に流れるが、運転停止すると、新たな凝縮水の発生はほぼなくなる。しかし、熱交換器４の表面には依然として凝縮水が残っているため、その凝縮水は時間の経過によりドレンパン１０上に滴下することになる。よって、冷房運転停止後に、時間遅れでドレンパン１０の水位が上昇する。このため、冷房運転終了後も所定時間ドレンポンプ７を運転させる。これにより、熱交換器４の表面などに残る凝縮水の排水が可能となる。ただし、停電時は、この効果は得られない。
【００２４】
また、ドレンポンプ７の運転を停止すると、ドレンポンプ７から上方に延びるドレン配管（図４参照）の立ち上がり部分内の水が逆流し、ドレンパン１０の集積部１２に戻る。よって、集積部１２は、ドレン配管からの戻り水と熱交換器４表面に付着していた凝縮水とによる水位上昇を加味した容積に設定されている。
【００２５】
点検時や清掃時には、まず、排水口１３に装着された蓋（図示せず）を外し、排水管（図示せず）を接続して集積部１２内の水抜きを行う。その後、上述したようにして本体２から板金カバー３０を集積部１２ごと取り外す。これにより、簡単に集積部１２を本体２から取り外すことができる。そして、板金カバー３０から集積部１２を取り外し、集積部１２の点検・洗浄を行う。
【００２６】
ところで、集積部１２内に設置された水位検知器６は、集積部１２内の水位を検知して水位信号を制御器５に出力している。ドレンポンプ７故障時や、排水管が詰まったときなど、排水不良が発生してドレンパン１０内の水位が上昇すると、水位検知器６からの水位信号により制御器５が異常水位を検知する。制御器５は異常を検知すると、外部に異常発報を行うとともに、当該室内ユニット１の冷房運転を停止し、凝縮水の発生を止めるようにしている。なお、水位検知器６は、ドレンパン１０の集積部１２の縁高さよりも低い位置を検知するように設置されている。
【００２７】
以上説明したように、本実施の形態１によれば、ドレンパン１０の樋部１１と集積部１２とを分離可能に構成したので、最も汚れる集積部１２だけを取り出し、メンテナンス（点検や清掃）を行うことができる。このため、従来のようにドレンパン１０全体を取り外す場合に比べて小さなスペースで作業でき、一人でも取り外しを行うことが可能で、作業性が容易となる。また、最も汚れる集積部１２を点検・清掃することで、ドレンパン１０を容易にクリーンな状態にすることができる。
【００２８】
また、本体２から板金カバー３０を取り外すことにより集積部１２もまとめて取り外せる構造としたため、点検・清掃時の作業性を容易とすることができる。
【００２９】
また、ドレンパン１０の樋部１１において凝縮水が流れる表面の下端部に、斜め下向きに傾斜する導水板１５を設けたので、樋部１１と集積部１２との間の接触部に凝縮水が触れることなく樋部１１から集積部１２へと導水することができる。このため、樋部１１と集積部１２との接触部からの水漏れを防ぐことができる。
【００３０】
また、排水口１３に使用する樹脂には透明な樹脂部材を使用し、工具を使用せずに、排水口１３の内部の状態を目視で確認できるようになっている。よって、汚れ具合を排水口１３の外側から確認でき、ドレンパン１０の清掃時期を容易に判断できる。
【００３１】
実施の形態２．
実施の形態２は、主に本体２の形状が実施の形態１と異なり、本体２内に送風機３、熱交換器４、制御器５、水位検知器６、ドレンポンプ７及びドレンパン１０を備えた点は実施の形態１と同様である。以下、実施の形態２が実施の形態１と異なる部分を中心に説明する。
【００３２】
図７は、本発明の実施の形態２の天井埋込形空気調和装置の要部を示す概略断面図である。
実施の形態２の天井埋込形空気調和装置１００は、直方体状の本体２において天井面に垂直な側面の一部を天井面に略平行な方向に膨出し、その膨出部４０内にドレンパン１０の集積部１２が位置する内部空間を形成している。そして、膨出部４０の上面４１に着脱自在な蓋４２を取り付け、埃などの浸入を防ぐようにしている。また、蓋４２の一部は透明な材質としており、工具を使用することなく、外部から目視でドレンパン１０の集積部１２を確認できるようにしている。また、ドレンパン１０を本体２から取り外さなくても蓋４２を取り外すことで、ドレンパン１０の集積部１２の清掃が容易に行える。ドレンパン１０の構成は、実施の形態１と同様に樋部１１と集積部１２とを分離可能としてもよいし、分離型とせず一体構成としても構わない。一体構成とした場合も、上述したように蓋４２を取り外すことにより清掃を容易に行える。しかし、実施の形態１と同様に分離型の構成とした場合には、更に容易で確実な清掃が行えるため、より好ましい。
【符号の説明】
【００３３】
１  室内ユニット、２  本体、２ａ  吸込口、２ｂ  吹出口、２ｃ  排水口、３  送風機、４  熱交換器、５  制御器、６  水位検知器、７  ドレンポンプ、１０  ドレンパン、１１  樋部、１２  集積部、１３  排水口、１４  シール材、１５  導水板、２１  側板、２２  底板、３０  板金カバー、３１  底面部、３２  側面部、３３  穴、３４  オフセット曲げ、３５  ネジ穴。
【図１】
2011220648.tif 000003
【図２】
2011220648.tif 000004
【図３】
2011220648.tif 000005
【図４】
2011220648.tif 000006
【図５】
2011220648.tif 000007
【図６】
2011220648.tif 000008
【図７】
2011220648.tif 000009